(57)【要約】【課題】    従来のダクトファンは、筐体の可動側筐本体は、筐体の略１８０度を開閉する構成で、かつ可動側筐本体の基端側を、固定側筐本体の自由端側に枢着し、固定側筐本体の外周面に設ける。半円形状を開閉する構造では、可動側筐本体を、閉じる直前（固定側筐本体の他の一つの自由端側に接触する直前）で、筐体の環状枠体の上半分に開設した開口部を囲繞するシールパッキンの一部、例えば、円周方向の横側にずれて閉じる弊害があった。【解決手段】  固定側筐本体と、固定側筐本体に接離する可動側筐本体とで構成する両側面が開口する筐体と、筐体に設けたファンと、ファンを可動するモータとを備えた送風機で、可動側筐本体は、観音開きの、少なくとも、二分割とする構成とするとともに、各可動側筐本体の基端側を、固定側筐本体の両自由端側に枢着する、第一繋目（枢着部）、及び第二繋目（枢着部）を、この固定側筐本体の外周面の外側に設ける。可動側筐本体のシールパッキンを保護する。【選択図】      図１
2015108311.tif 000002
【特許請求の範囲】
【請求項１】
固定側筐本体と、この固定側筐本体に接離する可動側筐本体とで構成する両側面が開口する筐体と、この筐体に設けたファンと、このファンを可動するモータとを備えた送風機において、
前記可動側筐本体は、観音開きの、少なくとも、一方蓋部と他方蓋部との二分割とし、この一方蓋部、及びこの他方蓋部の各基端側と前記固定側筐本体の両自由端側とを、第一繋目（枢着部）、及び第二繋目（枢着部）で枢着し、この第一繋目、及び第二繋目を、前記筐体の外周面の外側に設ける構成とした送風機。
【請求項２】
前記筐体の環状枠体の下半分と一体構成する固定側筐本体と、この筐体の環状枠体の上半分に開設した開口部の一部を閉塞し、かつこの固定側筐本体の一方端側に、基端側を枢着した一方蓋部、及び、前記開口部の他の一部を閉塞し、かつこの固定側筐本体の他方端側に、基端側を枢着した他方蓋部でなる前記可動側筐本体とで構成してなり、前記一方蓋部と、前記他方蓋部の両自由端側が接離する構成とした請求項１に記載の送風機。
【請求項３】
前記筐体の環状枠体の下半分と一体構成する固定側筐本体の一方端側に、この一方蓋部の放射方向に立設し、かつ該一方端側の円周方向と直交する方向に延設した第一フランジと、この筐体の環状枠体の上半分に開設した開口部を閉塞する一方蓋部の基端側に、この基端側の放射方向に立設し、かつ該基端側の円周方向と直交する方向に延設した第三フランジとを枢着した第一繋目は、この送風機の据付状態で、水平部より上方、或いは水平部と略同じ位置とするとともに、この固定側筐本体の他方端側に、この他方端側の放射方向に立設し、かつこの他方端側の円周方向と直交する方向に延設した第二フランジと、この筐体の環状枠体の上半分に開設した開口部を閉塞する他方蓋部の基端側に、この基端側の放射方向に立設し、かつこの基端側の円周方向と直交する方向に延設した第四フランジとを蝶番手段を介して枢着した第二繋目は、この送風機の据付状態で、水平部より下方、或いは水平部と略同じ位置とする構成とし、前記モータの軸芯を、前記送風機の鉛直線上にセットする構成とした請求項１に記載の送風機。
【請求項４】
前記一方蓋部、及び前記他方蓋部の各自由端側には、この一方蓋部、及びこの他方蓋部の放射方向に立設し、かつ該一方蓋部、及び該他方蓋部の円周方向と直交する方向に延設した第五・第六フランジを設け、この第五・第六フランジは、該一方蓋部、及び該他方蓋部の閉塞時に接触するとともに、この第五・第六フランジの何れか一方の取付側にシールパッキンを設け、このシールパッキンは、前記直交する方向に延設する構成とした請求項３に記載の送風機。
【請求項５】
前記一方蓋部の基端側に設けた第三フランジ、及び他方蓋部の基端側に設けた第四フランジは、該一方蓋部、及び該他方蓋部の閉塞時において、前記固定側筐本体の一方・他方端側に設けた第一・第二フランジに接触するとともに、この第一・第二フランジに設けたシールパッキンで、前記第三フランジ、及び前記第四フランジとこの第一・第二フランジとの気密を確保する構成とした請求項３に記載の送風機。
【請求項６】
前記第一・第二フランジと、第三・第四フランジの枢着位置は、この第一・第二フランジに、この第三・第四フランジが接触した状態において、該第一・第二フランジの放射方向にある外側と、この第三・第四フランジの放射方向にある外側とする構成とした請求項４、又は請求項５に記載の送風機。
【請求項７】
前記筐体の環状枠体の上半分に開設した開口部の環状枠体周辺板部にシールパッキンを設ける構成とした請求項１、又は請求項２に記載の送風機。
【発明の詳細な説明】
【技術分野】
【０００１】
本発明は、製品の冷却、又は乾燥用、或いは高温空気・ガス等の給気、又は排気用等のダクトに介在されるダクトファン、或いは空気・ガス等の給気、又は排気用等のダクトに介在されるダクトファン等の送風機に関する。
【背景技術】
【０００２】
従来の送風機（図１０−１に示した、ダクトファンとする）では、筐体の可動側筐本体は、筐体の略１８０度（半円形状）を開閉する構成で、かつ可動側筐本体の一つの基端側を、固定側筐本体の一つの自由端側に枢着するとともに、固定側筐本体の外周面に設ける構成である。半円形状を開閉する構造では、可動側筐本体を、閉じる直前で（固定側筐本体の他の一つの自由端側に接触する直前で）で（図１０−２参照）、筐体の環状枠体の上半分に開設した開口部を囲繞するシールパッキンの一部、例えば、円周方向の横側にずれて（擦れるようにして）閉じる（図１０−３参照）。これにより、シールパッキンに傷が付くことと、損傷すること、また、シールパッキンがずれ易くなること、等の弊害があった。そこで、本発明は、この半円形状を開閉する構造における弊害解消を目的とする。また、本発明は、必要により、第一繋目を、軸芯に近づけることで、可動側筐本体の開閉動作と、この動作時の負荷軽減を図ることを意図する。
【０００３】
尚、可動側筐本体は、観音開きの、少なくとも、二分割の扉で、分割された扉の横幅が大小でなる構成に関しては、この送風機の分野では、見当たらない。そこで、家具、機器等の分野で検討すると、例えば、特開２００８−５１４８６号公報の冷蔵庫、又は特開平７−２９８９３１号公報の化粧用ワゴンの発明がある。しかし、これらの発明は、単に、観音開きの二分割の扉で、この扉を大小とする構成に関して、類似点があるが、目的と構成、並びに効果（特徴）に関しても、本発明と、全く相違する。
【０００４】
【特許文献１】特開２００８−５１４８６号公報
【特許文献２】特開平７−２９８９３１号公報
【発明の概要】
【発明が解決しようとする課題】
【０００５】
前述の課題を解決することを意図する。その要点は、可動側筐本体を、観音開きの、少なくとも、二分割の可動側筐本体の一方蓋部と他方蓋部で、分割された一方蓋部と他方蓋部の円周方向の寸法を大小とする構成と、パッキンの保護、及び必要により、この一方蓋部とパッキンとに対して、開閉動作の負荷軽減を図ること、等にある。
【課題を解決するための手段】
【０００６】
上記の課題解決を意図し、本発明は、請求項１〜７を提供する。
【発明の効果】
【０００７】
請求項１では、可動側筐本体を、観音開きの、少なくとも、二分割で、分割された可動側筐本体の一方蓋部と他方蓋部の円周方向の寸法を大小とする構成とすることで、パッキンの保護、及び必要により、この一方蓋部とパッキンとに対して、開閉動作の負荷軽減を図ること、等にある。
【０００８】
この請求項１は、固定側筐本体と、固定側筐本体に接離する可動側筐本体とで構成する両側面が開口する筐体と、筐体に設けたファンと、ファンを可動するモータとを備えた送風機において、
可動側筐本体は、観音開きの、少なくとも、一方蓋部と他方蓋部との二分割とし、一方蓋部、及び他方蓋部の各基端側と固定側筐本体の両自由端側とを、第一繋目（枢着部）、及び第二繋目（枢着部）で枢着し、第一繋目、及び第二繋目を、筐体の外周面の外側に設ける構成とした。
【０００９】
請求項２では、請求項１の目的を達成するに適する筐体の構造を提供する。
【００１０】
この請求項２は、筐体の環状枠体の下半分と一体構成する固定側筐本体と、筐体の環状枠体の上半分に開設した開口部の一部を閉塞し、かつ固定側筐本体の一方端側に、基端側を枢着した一方蓋部、及び、開口部の他の一部を閉塞し、かつ固定側筐本体の他方端側に、基端側を枢着した他方蓋部でなる可動側筐本体とで構成してなり、一方蓋部と、他方蓋部の両自由端側が接離する構成とした。
【００１１】
請求項３では、請求項１の目的を達成するに適する筐体であって、固定側筐本体と可動側筐本体との構造を提供する。
【００１２】
この請求項３は、筐体の環状枠体の下半分と一体構成する固定側筐本体の一方端側に、一方蓋部の放射方向に立設し、かつ一方端側の円周方向と直交する方向に延設した第一フランジと、筐体の環状枠体の上半分に開設した開口部を閉塞する一方蓋部の基端側に、基端側の放射方向に立設し、かつ一方蓋部の円周方向と直交する方向に延設した第三フランジとを枢着した第一繋目は、送風機の据付状態で、水平部より上方、或いは水平部と略同じ位置とするとともに、固定側筐本体の他方端側に、他方端側の放射方向に立設し、かつ他方端側の円周方向と直交する方向に延設した第二フランジと、筐体の環状枠体の上半分に開設した開口部を閉塞する他方蓋部の基端側に、基端側の放射方向に立設し、かつ基端側の円周方向と直交する方向に延設した第四フランジとを蝶番手段を介して枢着した第二繋目は、送風機の据付状態で、水平部より下方、或いは水平部と略同じ位置とする構成とし、モータの軸芯を、送風機の鉛直線上にセットする構成とした。
【００１３】
請求項４では、請求項１の目的を達成するに適する筐体であって、その可動側筐本体の一方蓋部と他方蓋部とのシールパッキンの構造を提供する。
【００１４】
この請求項４は、一方蓋部、及び他方蓋部の各自由端側には、一方蓋部、及び他方蓋部の放射方向に立設し、かつ一方蓋部、及び他方蓋部の円周方向と直交する方向に延設した第五・第六フランジを設け、第五・第六フランジは、一方蓋部、及び他方蓋部の閉塞時に接触するとともに、第五・第六フランジの何れか一方の取付側にシールパッキンを設け、シールパッキンは、直交する方向に延設する構成とした。
【００１５】
請求項５では、請求項１の目的を達成するに適する筐体であって、その可動側筐本体の一方蓋部、及び他方蓋部と、固定側筐本体の一方端側、及び他方端側のフランジとシールパッキンの構造を提供する。
【００１６】
この請求項５は、一方蓋部の基端側に設けた第三フランジ、及び他方蓋部の基端側に設けた第四フランジは、一方蓋部、及び他方蓋部の閉塞時において、固定側筐本体の一方・他方端側に設けた第一・第二フランジに接触するとともに、第一・第二フランジに設けたシールパッキンで、第三フランジ、及び第四フランジと第一・第二フランジとの気密を確保する構成とした。
【００１７】
請求項６では、請求項１の目的を達成するに適する筐体であって、その可動側筐本体の一方蓋部、及び他方蓋部のフランジと、固定側筐本体の一方端側、及び他方端側のフランジの枢着位置の構造を提供する。
【００１８】
この請求項６は、第一・第二フランジと、第三・第四フランジの枢着位置は、第一・第二フランジに、第三・第四フランジが接触した状態において、第一・第二フランジの放射方向にある外側と、第三・第四フランジの放射方向にある外側とする構成とした。
【００１９】
請求項７では、請求項１の目的を達成するに適する筐体に設けた開口部と、そのシールパッキンの構造を提供する。
【００２０】
この請求項７では、筐体の環状枠体の上半分に開設した開口部の環状枠体周辺板部にシールパッキンを設ける構成とした。
【図面の簡単な説明】
【００２１】
【図１】本発明の第１実施例の全体を示した正面斜視図
【図２】第１実施例の正面図
【図３】図２の右側より見た一方蓋部を除いた断面図
【図４】図１の要部であって、可動側本体の一方蓋部と他方蓋部を開放した状態の俯瞰斜視図
【図５】第１実施例の可動側筐本体の一方蓋部と他方蓋部を開放した状態の正面図
【図６−１】図５の要部であって、可動側筐本体の一方蓋部と他方蓋部とを、順次、閉塞する過程を示した状態の正面模式図
【図６−２】図６−１のＡ部の拡大模式図
【図７−１】図６−１がさらに進み、可動側筐本体の一方蓋部と他方蓋部とを、接触する直前の状態を示した正面模式図
【図７−２】図７−１のＢ部の拡大模式図
【図８−１】可動側筐本体の一方蓋部と他方蓋部とが、固定側筐本体の一方端側と他方端側とに接触した（可動側筐本体の可動が終了し、固定側筐本体に閉塞した）状態を示した正面模式図
【図８−２】図８−１のＣ部の拡大模式図
【図８−３】図８−１のＤ部の拡大模式図
【図８−４】図８−１のＥ部の拡大模式図
【図９−１】本発明の第２実施例であって、可動側筐本体の一方蓋部と他方蓋部を開放した状態の正面図
【図９−２】本発明の第２実施例であって、可動側筐本体の一方蓋部と他方蓋部を閉塞した状態の正面図
【図１０−１】従来の可動側筐本体を開放した状態の正面図
【図１０−２】図１０−１がさらに進み、可動側筐本体の蓋部端側が、固定側筐本体の他の一つの自由端側に接触する直前の状態を示した正面模式図
【図１０−３】図１０−２のＦ部の拡大模式図
【発明を実施するための形態】
【００２２】
１はダクトファン（送風機の一種）で、このダクトファン１は、図１〜図３と、図５等に示す一例の如く、適宜、間隔をおいて対に設けた環状枠体２、２（対の例では、一つの符号とし、一方側のみの説明とする）と、この環状枠体２間の下半分２−１の底部となる、環状枠体２の内面側に一体構成する固定側筐本体３、及びこの環状枠体２間の上半分２−２の蓋部となる、環状枠体２の内面側に開閉自在に設けられ、かつこの上半分２−２に開口した開口部５を閉塞する可動側筐本体６でなる筐体７と、この筐体７の可動側筐本体６に設けてなる後述するプーリーカバーに止め具８ａ支持したフランジ形状の軸受８と、この軸受８に回転自在に貫設した軸９ａと、この軸９ａに設け、かつ筐体７に内設したファン９と、このファン９用のモータ１０と、図示しないプーリー、ベルトを囲繞し、かつ可動側筐本体６の鉛直線Ｚに設けたプーリーカバー１１と、このプーリ―カバー１１に連設したベルトカバー１１ａとで構成する。尚、この筐体７の左右側は、空気、ガス等が流通する開口７ａ、７ｂを備える。
【００２３】
固定側筐本体３と可動側筐本体６との構成を説明する。図２と図５等に示す一例の如く、可動側筐本体６の一方蓋部６０の基端側６０ａは、固定側筐本体３の一方端側３０ａに枢着されて第一繋目（イ）となり、また、可動側筐本体６の他方蓋部６１の基端側６１ａは、固定側筐本体３の他方端側３０ｂに枢着されて第二繋目（ロ）となる。
【００２４】
この第一繋目（イ）は、固定側筐本体３の一方端側３０ａには、固定側筐本体３の放射方向の矢視Ｘに立設し、かつこの一方端側３０ａの円周方向と直交する方向に延設した第一フランジ３００と、可動側筐本体６の一方蓋部６０の基端側６０ａには、一方蓋部６０の放射方向の矢視Ｘに立設し、かつこの一方蓋部６０の円周方向と直交する方向に延設した第三フランジ６００とを蝶番１２（蝶番には、図示しないが、例えば、一方・他方蓋部６０、６１に架承等した筒体と、この筒体に差入れた固定側筐本体３に架承等した支持軸等の蝶番手段、或いは、固定側筐本体３に筒体を架承等し、一方・他方蓋部６０、６１に支持軸を架承等した逆の構造の蝶番手段、等を含む。以下同じ「蝶番手段」）を介して枢着する（図１等参照）。この第一繋目（イ）は、図５に示す如く、第一・第三フランジ３００、６００の放射方向端部（筐体７の外周面７００の外側７００ａ）にある。そして、この第一繋目（イ）を支点として、可動する一方蓋部６０は、この外側７００ａに設けた第三フランジ６００の立設長さ（Ｌ１）分だけ、異なる軌跡（ハ）をもって、筐体７の外周面７００に被さっていき、最終的には、環状枠体２の上半分２−２に添接する。
【００２５】
また、この第二繋目（ロ）は、固定側筐本体３の他方端側３０ｂには、固定側筐本体３の放射方向の矢視Ｙに立設し、かつこの他方端側３０ｂの円周方向Ｏと直交する方向に延設した第二フランジ３１０と、可動側筐本体６の他方蓋部６１の基端側６１ａには、他方蓋部６１の放射方向の矢視Ｙに立設し、かつこの他方蓋部６１の円周方向Ｏと直交する方向に延設した第四フランジ６１０とを蝶番１３（前記蝶番手段と同じ）を介して枢着する（図５参照）。この第二繋目（ロ）は、図５に示す如く、第二・第四フランジ３１０、６１０の放射方向端部（筐体７の外周面７００の外側）にある。そして、この第二繋目（ロ）を支点として、可動する他方蓋部６１は、この外側７００ａに設けた第四フランジ６１０の立設長さ（Ｌ１）分だけ、前記と同じ軌跡（ニ）をもって、筐体７の外周面７００に被さっていき、最終的には、環状枠体２の上半分２−２に添接する。
【００２６】
尚、第三・第四フランジ６００、６１０の立設長さ（Ｌ１）は、第一・第二フランジ３００、３１０の立設長さ（Ｌ）より短い構造である。
【００２７】
そして、図１〜図３と、図５等に示す如く、第１実施例では、第一繋目（イ）は、このダクトファン１の据付状態で、水平部Ｑより上方Ｑ１に位置するとともに、第二繋目（ロ）は、このダクトファン１の据付状態で、水平部Ｑより下方Ｑ２に位置する。この例では、開閉時において、可動側筐本体６の重心（第一繋目（イ））が、水平部Ｑより上方にあり、開閉動作の負荷の軽減化が図れる。また、図９−１、９−２に示す如く、第２実施例では、第一繋目（イ）は、このダクトファン１の据付状態で、水平部Ｑに位置するとともに、第二繋目（ロ）は、このダクトファン１の据付状態で、水平部Ｑに位置する。この例では、従来と同様な操作が可能となる。尚、この据付状態では、モータ１０の軸芯１０００を、ダクトファン１の鉛直線Ｚ上にセットされる。また、可動側筐本体６を分割することで、軸芯９０方向の横ずれ防止に有効である。
【００２８】
前記第一フランジ３００と第三フランジ６００との間の取付側の下端にシールパッキン１５を設け、このシールパッキン１５は、前記直交する方向に延設する。この下端にシールパッキン１５を設ける際に、このシールパッキン１５の略１／２が陥没して設け、第一・第三フランジ３００、６００の接触時に、それぞれの表面が確実に接触するとともに、シールパッキン１５で密着される構造とし、漏洩防止を図る（図８−２参照）。
【００２９】
また、この第二フランジ３１０と第四フランジ６１０との間の取付側の下端にシールパッキン１６を設け、このシールパッキン１６は、前記直交する方向に延設する。この下端にシールパッキン１６を設ける際に、このシールパッキン１６の略１／２が陥没して設け、第二・第四フランジ３１０、６１０の接触時に、それぞれの表面が確実に接触するとともに、シールパッキン１６で密着される構造とし、漏洩防止を図る（図８−４参照）。
【００３０】
次に、図１〜図９−２等に示す如く、一方蓋部６０、及び他方蓋部６１の各自由端側６０ｂ、６１ｂには、一方蓋部６０、及び他方蓋部６１の放射方向に立設し、かつこの一方蓋部６０、及びこの他方蓋部６１の円周方向Ｏと直交する方向に延設した第五・第六フランジ６０１、６１１を設け、第五・第六フランジ６０１、６１１は、一方蓋部６０、及び他方蓋部６１の閉塞時に接触するとともに、この第五・第六フランジ６０１、６１１の何れか一方の取付側の下端にシールパッキン１７を設け、このシールパッキン１７は、前記直交する方向に延設する。この下端にシールパッキン１７を設ける際に、このシールパッキン１７の略１／２が陥没して設け、第五・第六フランジ６０１、６１１の接触時に、それぞれの表面が確実に接触するとともに、シールパッキン１７で密着される構造とし、漏洩防止を図る（図８−３参照）。
【００３１】
前記環状枠体２の上半分２−２に設けた開口部５の円周方向Ｏの両側周辺板部には、断面方形状のシールパッキン１８が設けられており、図８−２〜図８−４に示す如く、一方蓋部６０、及び他方蓋部６１を閉塞した状態において、圧縮され、他のシールパッキン１５〜１７と併せて、固定側筐本体３と可動側筐本体６との密着が確保される。
【００３２】
続いて、図１の固定側筐本体３と可動側筐本体６とが閉塞状態（密着状態）より、図５の開放状態に至り、その後、図６−１〜図７−２を経由し、図８−１〜図８−４に至り、最初の閉塞状態に戻る経過を説明する。図１に示した、固定側筐本体３と可動側筐本体６との閉塞状態から、図５に示した開放状態を説明すると、固定側筐本体３と可動側筐本体６との閉塞状態から、開放するには、可動側筐本体６の一方蓋部６０と他方蓋部６１の取手２０、２１を持って、それぞれ可動する。例えば、一方蓋部６０は、固定側筐本体３の第一フランジ３００の蝶番１２（筐体７の外周面７００の外側７００ａ）を支点として、第三フランジ６００とともに時計方向に可動して開放するとともに、他方蓋部６１は、固定側筐本体３の第二フランジ３１０の蝶番１３（筐体７の外周面７００の外側７００ａ）を支点として、第四フランジ６１０とともに反時計方向に可動することで、同図の如く、開放される。
【００３３】
この開放状態の作業の一例を説明すると、ファン９、軸受８等が外部に開放状態であり、清掃、又は補修が容易にできる。また、固定側筐本体３内部の清掃等において、有益性がある。また、この例の如く、一方蓋部６０と他方蓋部６１とを、個別、及び/又は、同時に開放でき重宝することと、前記清掃においても、ファン９等の略半分以上が開放されており、有益性がある。
【００３４】
そして、開放状態から、最初の閉塞状態となるのを、図６−１〜図７−２をもとに説明する。先ず、図６−１と図６−２の如く、可動側筐本体６の一方蓋部６０と他方蓋部６１の取手２０、２１を持って、それぞれ可動する。例えば、一方蓋部６０は、固定側筐本体３の第一フランジ３００の蝶番１２を支点として、第三フランジ６００とともに反時計方向に可動して閉塞状態に移行するとともに、他方蓋部６１は、固定側筐本体３の第二フランジ３１０の蝶番１３を支点として、第四フランジ６１０とともに時計方向に可動して閉塞状態に、向かって移行する。この移行では、各シールパッキン１５〜１８に対する強圧と、ずれによる損傷はない。
【００３５】
続いて、図７−１と図７−２の如く、可動側筐本体６の一方蓋部６０と他方蓋部６１の取手２０、２１を持って、図６−１と図６−２の状態より、さらに、それぞれ可動する。例えば、図６−１と図６−２と同様に、一方蓋部６０は、蝶番１２を支点として、第三フランジ６００とともに反時計方向に可動し、同様に、他方蓋部６１は、蝶番１３を支点として、第四フランジ６１０とともに時計方向に可動して閉塞状態に、順次、近づくように移行する。この状態では、一方蓋部６０と他方蓋部６１は、共に環状枠体２の開口部５に設けたシールパッキン１８を押圧し、後述する、押圧されるシールパッキン１７の逃げ代３０を確保する。この例では、一方蓋部６０の押圧は、第一繋目（イ）が外側７００ａにあること、及び第三フランジ６００の長さＬ１により、一方蓋部６０の自由端側６０ｂは、筐体７の外周面７００の円弧とは異なる軌跡（ハ）を辿っていくが、最終的には、押圧とともに、後述するように、図８−１の如く、環状枠体２の上半分２−２の一方側に添接される。尚、他方蓋部６１の押圧は、第二繋目（ロ）が外側７００ａにあること、及び第四フランジ６１０の長さＬ１により、他方蓋部６１の自由端側６１ｂは、筐体７の外周面７００の円弧とは異なる軌跡（ニ）を辿っていくが、最終的には、押圧とともに、後述するように、図８−４の如く、環状枠体２の上半分２−２の他方側に添接される。
【００３６】
図８−１〜図８−４は、前記図７−１と図７−２とが進捗した状況であって、一方蓋部６０と他方蓋部６１とが、上半分２−２に添接された、所謂、閉塞状態である。この閉塞状態の特徴は、第一フランジ３００の取付側の下端の略１／２（以下同じ、省略する）に設けたシールパッキン１５を、第三フランジ６００の外側で押圧しているとともに、第二フランジ３１０の取付側の下端のシールパッキン１６を、第四フランジ６１０の外側で押圧している。従って、図８−２と図８−４の如く、第一フランジ３００と第三フランジ６００、及び第二フランジ３１０と第四フランジ６１０とは、密着されている。これと同時に、一方蓋部６０の基端側６０ａと固定側筐本体３の一方端側３０ａとが密着されるとともに、他方蓋部６１の基端側６１ａと固定側筐本体３の他方端側３０ｂとが密着される。この密着状態が確保された際には、図８−３の如く、第五フランジ６０１と第六フランジ６１１とは、密着されるとともに、一方蓋部６０の自由端側６０ｂと他方蓋部６１の自由端側６１ｂとが密着される。また、一方蓋部６０の自由端側６０ｂに設けたシールパッキン１７は、他方蓋部６１の自由端側６１ｂにより押圧されるが、逃げ代３０により、強圧より解放される。この密着状態では、シールパッキン１５〜１７を押圧するのみであり、強圧する構造でないので、損傷、及び／又は、劣化等は、略ないことが特徴である。
【００３７】
そして、閉塞状態から、開放状態にするには、前述の操作の逆であり、説明は割愛する。
【００３８】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００３９】
１            ダクトファン
２            環状枠体
２−１        下半分
２−２        上半分
３            固定側筐本体
３０ａ        一方端側
３０ｂ        他方端側
３００        第一フランジ
３１０        第二フランジ
５            開口部
６            可動側筐本体
６０          一方蓋部
６０ａ        基端側
６０ｂ        自由端側
６００        第三フランジ
６０１        第五フランジ
６１          他方蓋部
６１ａ        基端側
６１ｂ        自由端側
６１０        第四フランジ
６１１        第六フランジ
７            筐体
７ａ          開口
７ｂ          開口
７００        外周面
７００ａ      外側
８            軸受
８ａ          止め具
９            ファン
９ａ          軸
９０          軸芯
１０          モータ
１０００      軸芯
１１          プーリーカバー
１１ａ        ベルトカバー
１２          蝶番
１３          蝶番
１５          シールパッキン
１６          シールパッキン
１７          シールパッキン
１８          シールパッキン
２０          取手
２１          取手
３０          逃げ代
（イ）        第一繋目
（ロ）        第二繋目
（ハ）        軌跡
（ニ）        軌跡
Ｘ            矢視
Ｙ            矢視
Ｚ            鉛直線
Ｏ            円周方向
Ｑ            水平部
Ｑ１          上方
Ｑ２          下方
Ｌ            長さ
Ｌ１          長さ
【図１】
2015108311.tif 000003
【図２】
2015108311.tif 000004
【図３】
2015108311.tif 000005
【図４】
2015108311.tif 000006
【図５】
2015108311.tif 000007
【図６−１】
2015108311.tif 000008
【図６−２】
2015108311.tif 000009
【図７−１】
2015108311.tif 000010
【図７−２】
2015108311.tif 000011
【図８−１】
2015108311.tif 000012
【図８−２】
2015108311.tif 000013
【図８−３】
2015108311.tif 000014
【図８−４】
2015108311.tif 000015
【図９−１】
2015108311.tif 000016
【図９−２】
2015108311.tif 000017
【図１０−１】
2015108311.tif 000018
【図１０−２】
2015108311.tif 000019
【図１０−３】
2015108311.tif 000020